(57)【特許請求の範囲】
【請求項１】
ブレードが貫通する開口部を有するとともに切断材に対して突き当て可能な当て面を有するシューの取付脚をハウジングのノーズ部に差し込んで、前記シューを前記ハウジングに固定する往復動切断工具のシュー固定装置であって、
前記ハウジングのノーズ部に、ベースプレートと、該ベースプレートに対して一端が連結されてバネ性を持つとともに、他端に設けた操作ノブが前記ノーズ部の外部に露出されて外部から操作可能なロックプレートを有するロック部材を設ける一方、
前記取付脚に、その差し込み方向先端が開放されて、前記操作ノブとの干渉を避けるための長孔を設け、該長孔の両側に係合溝を前記差し込み方向に沿って所定ピッチで複数切り込み形成して設け、
前記係合溝に対して前記ロックプレートに設けた係合突起を当該ロックプレートの前記バネ性により係合させて、前記シューの取付脚を前記ロック部材に対して抜け止め状態に固定する構成としたシュー固定装置。
【請求項２】
請求項１に記載の往復動切断工具のシュー固定装置であって、
前記ハウジングのノーズ部に設けた前記脚部の差し込み用の開口部に、該脚部を前記ロック部材のベースプレートとロックプレートとの間に差し込むためのガイドとして機能させる構成としたシュー固定装置。
【請求項３】
請求項１又は２に記載の往復動切断工具のシュー固定装置であって、前記ロック部材は、前記ハウジング側に固着される平板状のベースプレートと、そのベースプレートの一部を切り起こし状に折り曲げることによって形成されたバネ性を持つロックプレートとから一体に構成され、前記ベースプレートと前記ロックプレートとによって前記シューの取付脚を挟着保持した状態で前記ロックプレートに一体に形成された係合突起を前記取付脚の係合溝に係合することによってシューをハウジングに固定する構成としたことを特徴とする往復動切断工具のシュー固定装置。
【発明の詳細な説明】
【０００１】
【発明の属する技術分野】
本発明は、例えばレシプロソーのような往復動切断工具において、切断作業の安定性を得るために切断材に突き当てた状態で使用されるシューに関するものであり、詳しくはそのシューをハウジングに着脱可能に固定するためのシュー固定装置に関する。
【０００２】
【従来の技術】
例えば、レシプロソーは、モータおよび該モータの回転を往復動に変換する往復動変換機構を介してスライド軸をその軸方向に往復動させ、これにより該スライド軸の先端に取り付けたブレードを往復動させて切断材を切断する構成となっている。切断時にはハウジングに対してこれを引っ張り込むような力が作用する。
このため、ハウジングの先端には、ブレードが貫通する略Ｕ字形の開口部を有するシュー（当て板）が取り付られており、そのシューを切断材に突き当てた状態で切断作業を行うことによって上記の引き込み力に対抗できるようにし、使い勝手の向上を図っている。ところで、シューはハウジングに対して着脱可能にあるいは固定位置が調整できるように取り付けられている。
【０００３】
このような従来のシュー固定装置としては、例えば米国特許第５５７５０７１号公報に開示されたものがある。この従来のシュー固定装置は、シューの取付脚をハウジングに形成したシュー保持部内に差し込み、その取付脚に沿って適宜間隔で設けた複数の切欠溝の１つに、ハウジング側に備えたロック部材の突起を係合することによってシューをハウジングに固定し、その係合を解除することによってシューをシュー保持部から抜き取ることができるようにしたものである。
また、ロック部材の突起が係合する切欠溝を選択することによって、すなわちシュー保持部に対するシューの差し込み深さを変えることによってシューの固定位置を調整するものである。
【０００４】
【発明が解決しようとする課題】
ところが、上述した従来のシュー固定装置は、取付脚の切欠溝に係脱可能な突起を持つロック部材と、そのロック部材を突起が切欠溝に係合する方向に付勢するバネとを備えた構造である。すなわち、従来のシュー固定装置は、シューを除いて少なくとも２部品を必要とする構造であった。
【０００５】
本発明は、上述した従来の問題点に鑑みてなされたものであり、その目的とするところは、部品点数の削減を図る上で有効な往復動切断工具のシュー固定装置を提供することにある。
【０００６】
【課題を解決するための手段】
上記課題を達成するため、本発明に係る往復動切断工具のシュー固定装置は、特許請求の範囲の各請求項に記載の通りの構成を備えた。
従って、請求項１に記載の発明によれば、シューの取付脚をハウジングのノーズ部に差し込み、ロックプレートに設けた係合突起をそれに対応して設定された係合溝に係合することによって、シューをハウジングに抜け止め状態に固定することができる。
そして、ロックプレートにバネ性を持たせ、そのロックプレートに係合突起を一体に形成してあるため、ロック部材とバネ部材とが１部品で構成される。すなわち、本発明によれば、シュー固定装置の構成部材を従来のシュー固定装置に比べて半減することができる。
【０００７】
請求項２に記載したシュー固定装置によれば、シューの脚部がノーズ部の開口部にガイドされながら差し込まれる。
【０００８】
また、請求項３に記載の発明によれば、ロック部材を、例えば一枚の鉄板を用いて形成することができる。このため、請求項１の発明と同様に部品点数を低減できることは勿論のこと、安価にしてかつ容易に製作可能なシュー固定装置を提供することができる。
【０００９】
【発明の実施の形態】
以下、本発明の実施の形態を図面に基づいて説明する。図１は往復動切断工具の一例としてのレシプロソーの先端部を示す縦断面図、図２はシューの着脱態様を示す説明図である。図３はレシプロソーの先端部の前面図であり、シュー固定装置及び外カバーについては断面で示している。図４はシュー固定装置を主体に示す図１におけるＡ矢視図、図５はシュー固定装置を示す斜視図である。本実施の形態は、このレシプロソー１にシューを取り付けるためのシュー固定装置１０に特徴を有しており、レシプロソー１自体の基本的な構成については従来公知の構成と同様であり、特に変更を要しない。
【００１０】
図１に示すように、レシプロソー１におけるハウジング２の内部には、スライド軸３が支持されている。このスライド軸３は、軸方向前後２箇所の軸受４（後側の軸受けは図では現れていない）により前後方向（図示左右方向）に移動可能に支持されている。また、スライド軸３は、レシプロソー１の後部に内蔵した電動モータを駆動源としてその軸方向（図示左右方向）に往復動する。電動モータの回転をスライド軸３の往復動に変換するための機構は、従来構成に比して特に変更を要しないので説明を省略する。また、スライド軸３の先端は、ハウジング２における断面略筒形に形成されたノーズ部２ａから僅かに突出されるとともに、ブレードＢがブレード取付装置５を介して取り付けられている。なお、ブレード取付装置５も、従来構成に比して特に変更を要しないので説明を省略する。
【００１１】
さて、ハウジング２のノーズ部２ａには、切断作業の容易化を図るために切断作業時に切断材に突き当てられるシュー２０をノーズ部２ａの先端から突出した状態で取り付けるためのシュー固定装置１０が備えられている。以下、シュー固定装置１０を図１〜図５に基づいて説明する。シュー固定装置１０は、図４に示すようなロック部材１１を主体に構成されている。ロック部材１１は、ベースプレート１２と、該ベースプレート１２に対して一端が一体に連結された状態で上方に所定間隔を置いて平行に延在するとともに他端を自由端とするロックプレート１３とから側面視で略ユ字形に形成されており、ロックプレート１３には、ベースプレート１２との連結部側である基端部を起点としての弾性撓み、すなわちバネ性が付加されている。なお、ベースプレート１２とロックプレート１３との間隔は、後述するシュー２０の取付脚２１の高さ（厚み）と同一に設定されている。
【００１２】
上記のような一体構造のロック部材１１は、例えば長方形状をなす鉄板の中央部を、鉄板の一端から長手方向に所要長さにわたってＬ形に切り起こす（例えば、プレス加工）ことによって製作することができる。そして、ロックプレート１３の自由端側は、下向き（ベースプレート１２側）に折り曲げられ、その折り曲げ端部の幅方向の両サイド部をＬ形に切り欠くことによって一対の係合突起１３ａ（係合肩部）が形成されている。また、切り欠きを設けた結果として折り曲げ片に形成された中央突部には、操作ノブ１４が取り付けられている。また、ベースプレート１２の一端（ロックプレート１３の自由端側）には、上向きに折り返された折返部１２ａが形成されている。
【００１３】
上記のように形成されたロック部材１１は、図１及び図２に示すように、ハウジング２におけるノーズ部２ａの外側下面（図１の下側）に対してロックプレート１３を上側にした状態でかつ自由端側がノーズ部２ａの先端側となるように配置されている。そして、ベースプレート１２の後端部が、ノーズ部２ａの基部側下面に膨出する如く形成されたプレート取付座２ｄに対してネジ１５によって固着され、ベースプレート１２の折返部１２ａがノーズ部２ａの端面にネジ１６によって固着されている。
【００１４】
かくして、ロック部材１１は、図１及び図２R> ２に示すように、ノーズ部２ａの下面に対してロックプレート１３が上方への弾性変形可能な隙間Ｓを保有した状態で取り付けられている。そして、上記のように取り付けられたロック部材１１は、ノーズ部２ａの外面を覆うように取り付けられる軟質樹脂製又はゴム製の外カバー１７によって操作ノブ１４を除いた全体が覆われている。すなわち、操作ノブ１４のみが外部操作可能とするために露出されている。また、前記ノーズ部２ａの端面下縁には、下方に張り出すフランジ部２ｂが形成され、このフランジ部２ｂにシュー２０の取付脚２１が挿入可能な略門形の開口部２ｃが形成されている。
【００１５】
一方、シュー２０は前記ブレードＢが貫通する開口部（図示省略）を有するとともに、その前面を切断材に対する当て面とされたプレートからなり、その後面側には後方に向かって水平状に延在する取付脚２１を備えており、その取付脚２１をノーズ部２ａの開口部２ｃを通してロック部材１１のベースプレート１２とロックプレート１３との間に差し込むことによって取り付ける構造となっている。従って、ノーズ部２ａの開口部２ｃは、シュー２０の取付脚２１をベースプレート１２とロックプレート１３との間に差し込む際のガイドとして機能するものである。取付脚２１は図３及び図５に示すように、下面側を開放する断面溝形に形成されており、その平面部２１ａ（リブ）には、長手方向に沿って延在する一端が開放された長孔２２が形成され、さらに長孔２２の両側には長手方向に沿って複数の係合溝２３が所定ピッチで設定されている。なお、平面部２１ａの長孔２２は、前記ロックプレート１３の折り曲げ片に形成された中央突部との干渉回避のために形成されている。
【００１６】
上記のように形成されたシュー２０は、その取付脚２１が、ノーズ部２ａの開口部２ｃを通してロック部材１１におけるベースプレート１２とロックプレート１３との間に差し込まれ、平面部２１ａ（リブ）の上面とフランジ部２１ｂの下端とを両プレート１２，１３によって上下から挟着された状態で保持される。そして、その保持状態で平面部２１ａの係合溝２３の１つに対して前記ロック部材１１におけるロックプレート１３の係合突起１３ａが係合し、シュー２０がロック部材１１に対して抜け止め状態に固定されるようになっている。なお、両プレート１２，１３間に差し込まれた取付脚２１は、図２に示すように、両フランジ部２１ｂの外面が開口部２ｃの壁面に当接することで幅方向の位置が規制される。
【００１７】
本実施の形態に係るシュー固定装置１０は、上述したように、ハウジング２のノーズ部２ａに設けたロック部材１１のベースプレート１２とロックプレート１３との間にシュー２０の取付脚２１を差し込み、該取付脚２１の係合溝２３にロックプレート１３の係合突起１３ａを係合することによってシュー２０をハウジング側に固定する構成としたものである。
【００１８】
係合突起１３ａを有するロックプレート１３は、図２に示すように、係合突起１３ａが係合溝２３に係合する状態を初期状態として設定されている。従って、図２に仮想線で示すように、操作ノブ１４を押し込んでロックプレート１３を弾性変形すれば、係合突起１３ａを係合溝２３から離脱するので、この状態ではシュー２０の取付脚２１を抜き差しすることが可能となる。すなわち、操作ノブ１４を押し続けた状態で、シュー２０を着脱したりシュー２０の固定位置、すなわちノーズ部２ａ端面からの突出位置（シュー２０の当て面からのブレードＢの突出長さ）を適宜に調整することができる。
【００１９】
さて、本実施の形態においては、ロックプレート１３に係合突起１３ａを設けることによってロック部材とバネ部材とを１部品化し得たものであり、このことによってシュー固定装置１０の構成部材を減少することができる。
また、本実施の形態においては、シュー２０の取付脚２１をハウジング２側に保持するために設定されるロック部材１１は、対向状に配置されるベースプレート１２とロックプレート１３を一体に備えた構成となっている。従って、ハウジング２側にはロック部材１１を一体的に形成する必要がなくなり、ハウジング２側の構造を簡素化できる。一方、ロック部材１１については、一枚の鉄板をプレス加工によって簡単に製作することができる。
さらには、係合突起１３ａを有するロックプレート１３にバネ性を付加することによってロック部材とバネ部材とを１部品化したこととが相俟って安価なシュー固定装置１０を提供できる。
【００２０】
なお、特許請求の範囲に記載した各請求項記載の発明には含まれない構成となるが、上記例示した構成に下記の変更を加えることによっても同等の作用効果を得ることができる。
例えば、上記の実施の形態では、ロックプレート１３に係合突起１３ａを設け、シュー２０の取付脚２１に係合溝２３を設定したが、ロックプレート１３に係合溝を設け、取付脚２１に係合突起を設けても、同様の作用効果を得ることができる。
また、ベースプレート１２とロックプレート１３を有するロック部材１１を例示したが、ベースプレート１２を省略して係合突起を備えたバネ性の付加されたロックプレートをハウジング２自体に組み付ける構成であっても、同様の作用効果を得ることができる。
さらには、バネ性を持つロックプレートはシュー２０の取付脚２１側に設定する形態であっても、同様の作用効果を得ることができる。
【００２１】
【発明の効果】
以上詳述したように、本発明によれば、往復動切断工具のシュー固定装置において、部品点数の削減を図り、コストの低減を達成できる。
【図面の簡単な説明】
【図１】  往復動切断工具の一例としてのレシプロソーの先端部を示す縦断面図である。
【図２】  シューの着脱態様を示す説明図である。
【図３】  レシプロソーの先端部を示す前面図であり、シュー固定装置及び外カバーについては断面で示している。
【図４】  シュー固定装置を主体に示す図１におけるＡ矢視図である。
【図５】  シュー固定装置を示す斜視図である。
【符号の説明】
１ レシプロソー
２ ハウジング
２ａ ノーズ部
１０ シュー固定装置
１１ ロック部材
１２ ベースプレート
１３ ロックプレート
１３ａ 係合突起
１４ 操作ノブ
２０ シュー
２１ 取付脚
２１ａ 平面部
２３ 係合溝
Ｂ ブレード
【図１】
0003715187.tif 000002
【図２】
0003715187.tif 000003
【図３】
0003715187.tif 000004
【図４】
0003715187.tif 000005
【図５】
0003715187.tif 000006